(57)【特許請求の範囲】
【請求項１】
通電により発熱可能な導電部材を表面に形成させた板ガラスにおいて、前記導電部材を検知部として警報装置へ接続させ、該導電部材を発熱用と防犯用とに共用することを特徴とする防犯ガラスであって、電源部として交流電源及び直流電源が切替可能に用いられ、発熱が必要な時期には交流電源で発熱すると共に微弱な直流電源によりガラス破損を検知し、発熱の不必要な時期には直流電源のみでガラス破損を検知すると共に、省エネモードを備えた間欠運転が行える制御装置により制御するように形成したことを特徴とする防犯ガラス。
【発明の詳細な説明】
【０００１】
【発明の属する技術分野】
本発明は、表面に導電部材を形成することでその膜面を通電により発熱させる発熱機能を有した板ガラスを使用した窓の防犯構造に関するものである。
【０００２】
【従来の技術】
従来より、一般建物の窓等の用途に硝子製品が使用されているが、硝子は鋭利な切削工具等による機械的な衝撃で容易に破壊することができるため、窓やドアサッシ等の硝子部分が空き巣等の不法侵入場所として狙われ易いという欠点があった。この為、板硝子の表面へ導電線を配設し、この導電線の両端を外部の断線検知装置、警報装置へ接続させて、不法侵入行為による硝子破損を導電線の断線で検知させて警報する防犯硝子が開発され使用されている。
【０００３】
【発明が解決しようとする課題】
ところが、上記の構造の防犯硝子は、導電線を使用する目的がガラス強度の向上に係わるものの、配線箇所が目立ってしまい、このため、侵入経路を他の場所に変えられてしまう等の問題があった。
【０００４】
【課題を解決するための手段】
本発明は、これらの現状を鑑みて、主に装飾として認識される膜面構造の導電部材を採用すると共に、必要に応じてこの導電部材を通電により発熱させる発熱膜とを共用させることで、複合的な機能を備えた板ガラスを提供することを目的とする。
【０００５】
即ち、本発明は、通電により発熱可能な導電部材を表面に形成させた板ガラスにおいて、前記導電部材を検知部として警報装置へ接続させ、該導電部材を発熱用と防犯用とに共用することを特徴とする防犯ガラスであって、電源部として交流電源及び直流電源が切替可能に用いられ、発熱が必要な時期には交流電源で発熱すると共に微弱な直流電源によりガラス破損を検知し、発熱の不必要な時期には直流電源のみでガラス破損を検知すると共に、省エネモードを備えた間欠運転が行える制御装置により制御するように構成することでこの導電部材を発熱用だけでなく防犯用にも用いる。また、必要に応じて導電部材の内、一部を発熱用として、他を防犯用として区別して使用することも可能である。
【０００６】
上記の板ガラスは、単層でも使用されるが、中間の空気層または樹脂層を介した積層構造のガラスで形成することがてき、この場合、発熱用として使用する導電部材を室内側の板ガラスに設けると共に、防犯用としてとして使用する導電部材を室外側の板ガラスに設ける。
【０００７】
【発明の実施の形態】
以下、本発明の実施の形態を図示例と共に説明する。
図１乃至図５は、本発明を実施する形態の一例であって、図中、図と同一の符号を付した部分は同一物を表わしている。
【０００８】
本発明の各実施例は、図１に示す通り、表面に導電部材１１を形成することで該部材１１を通電により発熱させる発熱機能を有したフロートガラス、網入りガラス、有色ガラス、あるいは、これ等のガラスの表面にスクラッチ等を施した装飾ガラス等の透光性の板ガラス１を使用する。
【０００９】
前記導電部材１１は、金、銀、銅、パラジウム、及びアルミニウム、チタン、ステンレス、ニッケル、コバルト、クロム、鉄、マグネシウム、ジルコニア、ガリウム等よりなる群より選ばれた一種以上の金属薄膜及び／又はそれ等の炭素、酸素等の金属酸化物薄膜、好ましくは、Ｐｄ、Ｐｔ、Ｓｎ、Ｚｎ、Ｉｎ、Ｃｒ、Ｔｉ、Ｓｉ、Ｚｒ、Ｎｂ、Ｔａからなる群のうち少なくとも１つの元素を添加したＡｇ等の薄膜や、これにＺｎＯ、ＩＴＯ、Ｉｎ２Ｏ３、Ｙ２Ｏ３等の多結晶性下地薄膜を設けた金属酸化物薄膜や、或いは、ポリエチレンテレフタレート、ポリエチレン−２．６−ナフタレート、ポリブチレンテレフタレート等のポリエステル樹脂、ポリカーボネート樹脂、ポリケトン、ポリエチレン、ポリプロピレン等のポリオレフィン樹脂、ポリ塩化ビニル、ポリスチレンポリフェニレンオキシド、ポリメチルメタクリメート、ポリスチレン等やポリアミド樹脂、ポリイミド樹脂、セロファン、セルローストリアセテート等のセルローズ樹脂のフィルム又はシート上に前記の金属薄膜を形成した熱線反射フィルムから成る。
【００１０】
本発明は、より詳しくは、建物開口部の窓部において、板ガラス１の外周にガラス枠体（図示せず）が設けられ、そのガラス枠体を開閉自在に固定させる建物開口部の支持枠体から成る開閉式の可動サッシ等にも適用される。
【００１１】
図１及び図２は、本発明に係わる板ガラスの二つの実施例を示している。第１実施例では、板ガラス１には、略全面に亘って導電部材１１が設けられており、第２実施例では、横方向等の予め選択された幾何学的な模様で導電部材１１が設けられている。これらの形成個所や配列は、意図する暖房効果や装飾的効果を考慮して実施されるものである。
【００１２】
そして、図示の如く、前記導電部材１１には、電極３を介して交流電源及び直流電源からなる電源Ｄが接続されると共に、警報装置（図示せず）に接続された防犯用のコントロールユニットＣが接続されている。従って、この様な構成により、導電部材１１は発熱用途に使用されるだけでなく、破損が抵抗値の変化や断線として検知され、外部からの侵入者によるガラス破損を検知することができる。尚、導電部材１１に対して発熱する際には強い電流を流す必要があるが、防犯検知をする場合には微弱な電流で良く、必要に応じた制御により導電部材１１を検知部として警報を行うことができる。第１実施例の如く、交流電源及び直流電源を切り替え可能とすると、発熱の必要な時期には交流電源を使用して発熱と共にガラス破損を監視し、発熱の不必要な時期には直流電源を使用してガラス破損のみを監視することができる。また、直流電源には太陽電池を使用できるので昼間の太陽光を利用して省エネが可能である。
【００１３】
また、図３において明らかな通り、任意の板ガラス１及びその近傍には、それぞれ温度センサーＳを取り付ける。このセンサーＳは、発熱用途としては、板ガラス１の温度を検知して、例えば、設定温度より板ガラス１の温度が低下した場合には、電圧制御して発熱温度を上昇させるように用いられるが、これを可動式の板ガラス１に応用して、急激な温度変化があった場合には、外部からの侵入者が窓を開閉したものとみなして警告装置に信号を送り、以って、防犯装置として機能させることができる。
【００１４】
ところで、上記の実施例では、前記導電部材１１は、発熱用と防犯用とに共用させているが、前記導電部材１１の内、一部を発熱用として他を防犯用として区別して使用するも可能である。
【００１５】
図４及び図５は、上記の板ガラス１を中間の空気層または樹脂層２を介した積層構造のガラス１で形成したものである。この実施例では、発熱用として使用する導電部材１１を室内側の板ガラス１に設けると共に、防犯用として使用する導電部材１１を室外側の板ガラスに設けて回路系統を分けたもので、この構成によれば、外部から侵入する者についての防犯は室外側で検知し、暖房効果は室内側で機能分して行うことが可能である。また、二層に導電部材１１を配置した場合は、図５の如く帯状の配列でも正面方向からの観察では、あたかも全面に導電部材１１が配置されているかの如く見せることができる。
【００１６】
前記コントロールユニットＣによる電力の制御は、各種の制御手段を利用することができるが、設定時間や設定温度を演算して間欠的に電力を供給する省エネモードを備えることで省エネを実現させる。人体の快適性、つまり、暑さ、寒さに対する人間の温熱感覚を考慮した適正な室内環境に制御することが好ましい。一般には、空気温度、相対湿度、平均輻射温度、気流速度、活動状態（人体の内部発熱量）、着衣状態等の変数とする人体の熱負荷と人間の温冷感を結び付けたＰＭＶ（予測平均回答）が知られており、従って、コントロールユニットＣには、このＰＭＶの演算値の入力に基き室温の設定値を演算する演算部と、この室温の設定値に基いて、電流の制御量についての調整を行なうディジタルコントローラ等で構成した制御手段を用いて、ＰＭＶ制御による間欠運転を行なうことで効果的な省エネが可能である。
【００１７】
また、電力として太陽電池を用いた場合は、通常の運転モードでは、不足分を商用電力から受けなかせら太陽光をエネルギー源として発生する電力で主運転し、非運転中は、太陽電池で発生する電力を商用電源へ供給してフィードバックして再利用することで省エネを効果的に改善できる。
【００１８】
本発明は、上述の図示例にのみ限定されるものではなく、本発明の要旨を逸脱しない範囲内において種々変更を加え得ることは勿論である。
【００１９】
【発明の効果】
以上、説明したように本発明の防犯ガラスの構造によれば、発熱機能を有したガラスをそのまま防犯用途として使用したので、ガラス全体または必要に応じてその一部が防犯センサーとして機能するので、建物の安全性を確保して且つ暖房効果も得ることができる。また、外観意匠に優れていると共に、既存の枠体に適用できるだけでなく、加工の手間が少なくコスト面においても有意義な発明である。さらに、発熱の必要な時期には交流電源を使用して発熱と共にガラス破損を監視し、発熱の不必要な時期には直流電源を使用してガラス破損のみを監視することができるので、省エネが可能である。さらに、電源部にてＰＭＶ制御による間欠運転を行うことにより、効果的な省エネ運転が可能である。
【図面の簡単な説明】
【図１】  本発明の防犯ガラスの第１実施例の概要図である。
【図２】  本発明の防犯ガラスの第２実施例の概要図である。
【図３】  本発明の防犯ガラスを使用した防犯システムの全体概要図である。
【図４】  本発明の他の実施例の板ガラスを示す要部断面図である。
【図５】  本発明の他の実施例の板ガラスを示す要部断面図である。
【符号の説明】
Ｃ    コントロールユニット
Ｄ    電源
Ｓ    温度センサー
１    板ガラス
１１  導電部材
２    空気層または樹脂層
３    電極
４    温度調節装置
５    操作盤
【図１】
0003962787.tif 000002
【図２】
0003962787.tif 000003
【図３】
0003962787.tif 000004
【図４】
0003962787.tif 000005
【図５】
0003962787.tif 000006